(57)【要約】【課題】衣類処理剤の自動投入用のタンクのためのスペースを十分に確保することができ、また、タンクが水槽に接触することを抑制することができる衣類処理装置を提供する。【解決手段】本実施形態に係る衣類処理装置は、外箱と、前記外箱の内部に設けられ、衣類を収容する衣類処理槽と、衣類を処理する衣類処理剤を貯留するタンクと、前記タンクに貯留されている衣類処理剤を前記衣類処理槽内に投入する自動投入部と、使用者による手動により衣類処理剤が投入される手動投入部と、前記手動投入部に水を供給する複数の手動投入部用経路と、を備え、複数の前記手動投入部用経路は、全て前記タンクの片側に配置されている。【選択図】図２
2020195578.tif 000002
【特許請求の範囲】
【請求項１】
外箱と、
前記外箱の内部に設けられ、衣類を収容する衣類処理槽と、
衣類を処理する衣類処理剤を貯留するタンクと、
前記タンクに貯留されている衣類処理剤を前記衣類処理槽内に投入する自動投入部と、
使用者による手動により衣類処理剤が投入される手動投入部と、
前記手動投入部に水を供給する複数の手動投入部用経路と、
を備え、
複数の前記手動投入部用経路は、全て前記タンクの片側に配置されている衣類処理装置。
【請求項２】
前記タンク内の衣類処理剤を前記衣類処理槽内に流出させる自動投入部用経路を備え、
前記自動投入部用経路も、前記タンクの前記手動投入部用経路と同じ側に配置されている請求項１に記載の衣類処理装置。
【請求項３】
前記タンクは、前記外箱の側面と前記手動投入部用経路との間に配置されている請求項１または２に記載の衣類処理装置。
【請求項４】
前記手動投入部は、
前記衣類処理剤として洗剤が投入される洗剤投入部と、
前記衣類処理剤として柔軟剤が投入される柔軟剤投入部と、
を備え、
前記手動投入部用経路として、
前記洗剤投入部に通常水を注ぐメイン注水経路と、
前記柔軟剤投入部に通常水を注ぐソフター注水経路と、
前記洗剤投入部に風呂水を注ぐ風呂水注水経路と、
を備える請求項１から３の何れか１項に記載の衣類処理装置。
【請求項５】
複数の前記手動投入部用経路が水平方向に配列されている請求項１から４の何れか１項に記載の衣類処理装置。
【請求項６】
複数の前記手動投入部用経路は、前記手動投入部に対し上方から水を供給する請求項１から５の何れか１項に記載の衣類処理装置。
【請求項７】
前記タンクおよび前記手動投入部を収容する注水ケースを備え、
前記手動投入部用経路内の残水を前記注水ケース内に排出する残水排出部を備える請求項１から６の何れか１項に記載の衣類処理装置。
【請求項８】
前記残水排出部は、前記注水ケース内において前記タンクの下面と対向しない部分に残水を排出する請求項７に記載の衣類処理装置。
【請求項９】
前記注水ケースの外部に設けられ、前記タンク内の衣類処理剤を吸引するポンプと、
前記注水ケースの内部において、前記タンクと前記ポンプとを接続する接続部と、
を備え、
前記残水排出部は、前記接続部に残水を排出する請求項７に記載の衣類処理装置。
【発明の詳細な説明】
【技術分野】
【０００１】
本発明の実施形態は、衣類処理装置に関する。
【背景技術】
【０００２】
従来より、衣類に所定の処理を施す衣類処理装置の一例である洗濯機においては、使用者による手動により洗剤や柔軟剤などの衣類処理剤が投入される手動投入部を備えたものが提供されている。そして、近年、洗濯機においては、使用者の利便性向上の要望に応えるため、衣類処理剤を自動投入用のタンク内に予め複数回分貯留しておき、洗濯運転中に必要量をタンクから自動的に水槽内へ投入する自動投入部を備えた構成が開発されている（例えば、特許文献１参照）。つまり、手動投入部および自動投入部の双方を備える洗濯機の開発が進められている。
【先行技術文献】
【特許文献】
【０００３】
【特許文献１】特開２０１８−１１６１８号公報
【発明の概要】
【発明が解決しようとする課題】
【０００４】
ところで、従来構成においては、手動投入部に水を供給するための複数の経路がタンクを挟んで両側に分かれて配置された構成となっている。そのため、タンクの配置位置が複数の経路に挟まれる狭小な部分に限定されてしまい、タンクのための十分なスペースを確保することができず、タンクの大型化を阻害する要因となっている。また、従来構成においては、タンクの外側に配置されている経路の分、洗濯機の外箱内において当該タンクを内側つまり水槽側に寄せて配置しなければならない。そのため、タンクと水槽との距離が短くなり、例えば振動発生時において、タンクが水槽に接触してしまうおそれがある。
【０００５】
そこで、本実施形態は、衣類処理剤の自動投入用のタンクのためのスペースを十分に確保することができ、また、タンクが水槽に接触することを抑制することができる衣類処理装置を提供する。
【課題を解決するための手段】
【０００６】
本実施形態に係る衣類処理装置は、外箱と、前記外箱の内部に設けられ、衣類を収容する衣類処理槽と、衣類を処理する衣類処理剤を貯留するタンクと、前記タンクに貯留されている衣類処理剤を前記衣類処理槽内に投入する自動投入部と、使用者による手動により衣類処理剤が投入される手動投入部と、前記手動投入部に水を供給する複数の手動投入部用経路と、を備え、複数の前記手動投入部用経路は、全て前記タンクの片側に配置されている。
【図面の簡単な説明】
【０００７】
【図１】本実施形態に係る洗濯機の構成例を概略的に示す縦断側面図
【図２】本実施形態に係る給水部の構成例を概略的に示す斜視図
【図３】本実施形態に係る給水部の構成例を概略的に示すものであって、手動投入用ケースが収容された状態例を示す平面図
【図４】本実施形態に係る給水部の構成例を概略的に示す左側面図
【図５】本実施形態に係る給水部の構成例を概略的に示すものであって、手動投入用ケースが引き出された状態例を示す平面図
【図６】本実施形態に係る外箱内における給水部の配置位置の一例を概略的に示す斜視図
【図７】本実施形態に係る給水弁ユニットの構成例を概略的に示す背面図
【図８】本実施形態に係るタンク収容部内の構成例を概略的に示す縦断側面図
【図９】本実施形態に係るタンク収容部と外箱の側面との位置関係の一例を概略的に示す縦断正面図
【図１０】変形例に係るタンク収容部およびその周辺部分の構成例を概略的に示す縦断正面図
【図１１】変形例に係る給水部の構成例を概略的に示すものであって、自動投入用のタンクが取り外された状態例を示す平面図
【図１２】変形例に係る給水部の構成例を概略的に示す縦断正面図
【発明を実施するための形態】
【０００８】
以下、衣類処理装置に係る一実施形態について図面を参照しながら説明する。図１に例示する洗濯機１は、衣類に所定の処理、この場合、少なくとも、洗い処理、すすぎ処理、脱水処理を施すことが可能な衣類処理装置の一例である。また、洗濯機１は、回転槽の回転中心軸が水平方向あるいは水平方向に対して傾斜する方向に延びる、いわゆる横軸型のドラム式の洗濯機である。
【０００９】
洗濯機１は、その外郭を構成する矩形箱状の外箱２の内部に、衣類を洗浄するための洗浄槽３を備えている。洗浄槽３は、衣類処理槽の一例であり、有底円筒状の水槽の内部に、同じく有底円筒状のドラムを回転可能に備えた構成である。ドラムの周壁には多数の小孔が設けられており、また、ドラムの内周面には、衣類をかき上げるためのバッフルが設けられている。
【００１０】
また、洗濯機１は、洗浄槽３内に水を供給するための給水部４、および、洗浄槽３内の水を機外に排水するための図示しない排水部を備えている。給水部４は、例えば水道などの図示しない水源から洗浄槽３に延びる給水経路の途中に、後述する給水弁ユニット２１などを備えた構成となっている。また、排水部は、洗浄槽３の底部から機外に延びる排水経路の途中に、排水弁などを備えた構成となっている。
【００１１】
次に、上述した給水部４の構成例について、さらに詳細に説明する。図２から図４に例示するように、給水部４は、図示しない水源から洗浄槽３に延びる給水経路の途中に注水ケース１０を備えた構成となっている。注水ケース１０は、内部に水が注水されるほぼ矩形の容器状の構成要素となっている。注水ケース１０には、注水ケース本体部１１およびタンク収容部１２が一体的に設けられている。
【００１２】
注水ケース本体部１１は、注水ケース１０の本体部分を構成するものであり、この場合、洗濯機１の前後方向に長いほぼ矩形の容器状をなしている。また、注水ケース本体部１１の底部は、前側から後側に向かって傾斜しており、その最底部分が給水ホース１３を介して洗浄槽３の上部に接続されている。タンク収容部１２は、注水ケース本体部１１の後部の上部に一体的に設けられている。また、タンク収容部１２の内部は、注水ケース本体部１１の内部に連通している。
【００１３】
注水ケース本体部１１の内部には、手動投入用ケース１４が収容されている。手動投入用ケース１４は、手動投入部の一例であり、注水ケース本体部１１の内部に前後方向に出し入れ可能に収容されている。即ち、手動投入用ケース１４は、いわゆる引き出し式の構成となっている。
【００１４】
図５に例示するように、手動投入用ケース１４の内部には、洗剤投入部１５および柔軟剤投入部１６が設けられている。この場合、洗剤投入部１５は、手動投入用ケース１４内の前部の左部に設けられている。洗剤投入部１５内には、使用者による手動により、例えば洗剤などの衣類処理剤が投入される。一方、柔軟剤投入部１６は、手動投入用ケース１４内の前部の右部に設けられている。柔軟剤投入部１６内には、使用者による手動により、例えば柔軟剤などの衣類処理剤が投入される。また、洗剤投入部１５および柔軟剤投入部１６は、手動投入用ケース１４内の前部において左右に並んで配列されている。
【００１５】
タンク収容部１２は、上部が開放したほぼ矩形箱状をなしている。タンク収容部１２の内部には、複数、この場合、洗剤タンク１７および柔軟剤タンク１８が着脱可能に収容されている。図６に例示するように、この場合、洗剤タンク１７および柔軟剤タンク１８は、外箱２の上面の左部に設けられたほぼ矩形の開口部２ａを介して、タンク収容部１２に対して上方から着脱可能となっている。なお、外箱２の開口部２ａは、ほぼ矩形状の蓋２ｂによって開閉可能となっている。
【００１６】
洗剤タンク１７は、タンクの一例であり、衣類処理剤、この場合、洗浄槽３内の衣類を洗浄するための洗剤を貯留する矩形容器状のタンクである。洗剤タンク１７内には、運転複数回分の洗剤を貯留可能となっている。なお、洗剤タンク１７内への洗剤の補給は、当該洗剤タンク１７の上部に設けられた補給口を介して行うことができる。また、柔軟剤タンク１８は、タンクの一例であり、衣類処理剤、この場合、洗浄槽３内の衣類に柔軟処理を施すための柔軟剤を貯留する矩形容器状のタンクである。柔軟剤タンク１８内には、運転複数回分の柔軟剤を貯留可能となっている。なお、柔軟剤タンク１８内への柔軟剤の補給は、当該柔軟剤タンク１８の上部に設けられた補給口を介して行うことができる。
【００１７】
また、洗剤タンク１７および柔軟剤タンク１８は、この場合、タンク収容部１２内において洗濯機１の前後方向に沿って収容されるようになっている。また、洗剤タンク１７および柔軟剤タンク１８は、この場合、タンク収容部１２内において洗濯機１の左右方向に並んで収容されるようになっている。
【００１８】
また、給水部４は、さらに、洗剤自動投入部１９、注水経路部２０、給水弁ユニット２１、風呂水ポンプ２２などを備えている。
【００１９】
洗剤自動投入部１９は、自動投入部の一例であり、洗剤用計量ポンプ２３、柔軟剤用計量ポンプ２４、自動投入部用経路２５を備えている。
【００２０】
洗剤用計量ポンプ２３は、例えば、モータやソレノイドなどのアクチュエータによってピストンを駆動することにより液体を吸引して送出する構成となっている。洗剤用計量ポンプ２３は、洗剤タンク１７内から所定量、この場合、１回の運転に使用する量の洗剤を吸引し、その吸引した洗剤を自動投入部用経路２５内に送出する。
【００２１】
柔軟剤用計量ポンプ２４は、例えば、モータやソレノイドなどのアクチュエータによってピストンを駆動することにより液体を吸引して送出する構成となっている。柔軟剤用計量ポンプ２４は、柔軟材タンク１８内から所定量、この場合、１回の運転に使用する量の柔軟剤を吸引し、その吸引した柔軟剤を自動投入部用経路２５内に送出する。
【００２２】
自動投入部用経路２５の先端部は、注水ケース１０の底部に接続されている。この場合、自動投入部用経路２５は、注水ケース１０の注水ケース本体部１１において手動投入用ケース１４の底面よりも下方となる位置に接続されている。これにより、洗剤用計量ポンプ２３によって洗剤タンク１７内から引き出された所定量の洗剤、あるいは、柔軟剤用計量ポンプ２４によって柔軟剤タンク１８内から引き出された所定量の柔軟剤は、自動投入部用経路２５を介して注水ケース１０内に供給され、さらに当該注水ケース１０内から給水ホース１３を介して洗浄槽３内に自動的に投入されるようになっている。
【００２３】
注水経路部２０は、例えば樹脂製であり、複数の注水経路、この場合、メイン注水経路３１、ソフター注水経路３２、風呂水注水経路３３を一体的に備えた構成となっている。メイン注水経路３１、ソフター注水経路３２、風呂水注水経路３３は、何れも、手動投入部用経路の一例であり、注水ケース１０内の手動投入用ケース１４内に水を供給するための注水経路として備えられている。
【００２４】
メイン注水経路３１は、手動投入用ケース１４内の洗剤投入部１５内に、例えば水道などの洗濯機１外部の水源から供給される通常水を注ぐための注水経路である。ソフター注水経路３２は、手動投入用ケース１４内の柔軟剤投入部１６内に、例えば水道などの洗濯機１外部の水源から供給される通常水を注ぐための注水経路である。風呂水注水経路３３は、手動投入用ケース１４内の洗剤投入部１５内に、例えば浴槽などの洗濯機１外部の水源から供給される風呂水を注ぐための注水経路である。
【００２５】
給水弁ユニット２１は、例えば、電磁的に開閉動作可能な液体用の開閉弁により構成されている。なお、排水部に備えられる排水弁も、例えば、電磁的に開閉動作可能な液体用の開閉弁により構成されている。図７に例示するように、給水弁ユニット２１は、複数、この場合、４つの給水弁２１ａ，２１ｂ，２１ｃ，２１ｄを一体的に備えた構成となっている。
【００２６】
給水弁２１ａの先端部は、図示しない通水ホースを介してメイン注水経路３１の基端部に接続されている。給水弁２１ａは、洗濯機１外部の例えば水道などの水源から供給される通常水をメイン注水経路３１内に導入する。メイン注水経路３１の先端部は、タンク収容部１２の前方において注水ケース本体部１１の前部の上部の左部に接続されている。即ち、メイン注水経路３１の先端部は、注水ケース本体部１１内に収容された手動投入用ケース１４のうち洗剤投入部１５の上方に位置して接続されている。よって、メイン注水経路３１内に導入された通常水は、注水ケース本体部１１内に収容された手動投入用ケース１４の洗剤投入部１５内に対し上方から供給される。なお、この場合、メイン注水経路３１の先端部は、前後方向に沿って直線状に延びており、また、その最前部において左右に枝分かれして後方に折り返された形状となっている。また、メイン注水経路３１の先端部は、複数の注水孔３１ａを有している。
【００２７】
給水弁２１ｂの先端部は、図示しない通水ホースを介してソフター注水経路３２の基端部に接続されている。給水弁２１ｂは、洗濯機１外部の例えば水道などの水源から供給される通常水をソフター注水経路３２内に導入する。ソフター注水経路３２の先端部は、タンク収容部１２の前方において注水ケース本体部１１の前部の上部の右部に接続されている。即ち、ソフター注水経路３２の先端部は、注水ケース本体部１１内に収容された手動投入用ケース１４のうち柔軟剤投入部１６の上方に位置して接続されている。よって、ソフター注水経路３２内に導入された通常水は、注水ケース本体部１１内に収容された手動投入用ケース１４の柔軟剤投入部１６内に対し上方から供給される。なお、この場合、ソフター注水経路３２の先端部は、前後方向に沿って直線状に延びており、複数の注水孔３２ａを有している。
【００２８】
給水弁２１ｃの先端部は、図示しない通水ホースを介して洗剤用計量ポンプ２３および柔軟剤用計量ポンプ２４と自動投入部用経路２５との接続部分に接続されている。給水弁２１ｃは、洗濯機１外部の例えば水道などの水源から供給される通常水を洗剤用計量ポンプ２３および柔軟剤用計量ポンプ２４と自動投入部用経路２５との接続部分に導入する。これにより、洗剤用計量ポンプ２３が自動投入部用経路２５内に送出した洗剤、あるいは、柔軟剤用計量ポンプ２４が自動投入部用経路２５内に送出した柔軟剤が、給水弁２１ｃから供給される通常水によって注水ケース１０内に導入される。そして、注水ケース１０内に導入された洗剤あるいは柔軟剤は、給水弁２１ｃから供給される通常水とともに給水ホース１３を介して洗浄槽３内に供給される。
【００２９】
なお、給水弁２１ｄは、例えば洗濯機１が備える図示しないダクトを洗浄するための洗浄水を供給するための給水弁として備えられている。
【００３０】
風呂水ポンプ２２は、その先端部が、図示しない通水ホースを介して風呂水注水経路３３の基端部に接続されている。風呂水ポンプ２２は、洗濯機１外部の浴槽などの水源から風呂水を吸引し、その吸引した風呂水を風呂水注水経路３３内に導入する。風呂水注水経路３３の先端部は、タンク収容部１２の前方において注水ケース本体部１１の前部の上部に接続されている。この場合、上述したメイン注水経路３１の先端部およびソフター注水経路３２の先端部は、注水ケース本体部１１の前部の上部において左右に並んで配列されており、風呂水注水経路３３の先端部は、これらメイン注水経路３１の先端部およびソフター注水経路３２の先端部の後方に位置して左右方向に直線状に延びている。また、風呂水注水経路３３の先端部は、複数の注水孔３３ａを有している。
【００３１】
以上のように構成される洗濯機１において、複数の手動投入部用経路３１，３２，３３は、全てタンク収容部１２の片側にまとめて配置されている。より具体的には、複数の手動投入部用経路３１，３２，３３は、洗濯機１の正面側から見て、より洗浄槽３側、換言すれば外箱２の左側面２Ｌとは反対側となる内側にまとめて配置されている。この場合、複数の手動投入部用経路３１，３２，３３は、その全体ではなく一部、この場合、基端部と先端部との間の中間部分が、全てタンク収容部１２の片側にまとめて配置された構成となっている。
【００３２】
また、別の観点から洗濯機１の構成例を特定すると、タンク収容部１２は、洗濯機１の正面側から見て、外箱２の左側面２Ｌと複数の手動投入部用経路３１，３２，３３との間に配置されている。換言すれば、タンク収容部１２は、外箱２の左側面２Ｌと複数の手動投入部用経路３１，３２，３３との間に挟まれた状態となっている。
【００３３】
なお、複数の手動投入部用経路３１，３２，３３のうちメイン注水経路３１の基端部およびソフター注水経路３２の基端部は、タンク収容部１２の後側にまとめて配置されている。また、複数の手動投入部用経路３１，３２，３３のうち風呂水注水経路３３の基端部は、複数の手動投入部用経路３１，３２，３３の中間部分とともにタンク収容部１２の片側にまとめて配置されている。また、複数の手動投入部用経路３１，３２，３３の先端部は、タンク収容部１２の前側にまとめて配置されている。
【００３４】
そして、複数の手動投入部用経路３１，３２，３３は、タンク収容部１２の片側において、水平方向に並んで配列されている。即ち、複数の手動投入部用経路３１，３２，３３は、側面視つまり水平方向に見た場合に、その一部あるいは全部が相互に重なるように配列されている。また、複数の手動投入部用経路３１，３２，３３は、平面視つまり上下方向に見た場合に、その一部あるいは全部が相互に重ならないように配列されている。
【００３５】
また、風呂水注水経路３３の途中部分、この場合、他の手動投入部用経路３１，３２の途中部分とともにタンク収容部１２の片側にまとめられた部分には、残水排出部４１が設けられている。残水排出部４１は、排出孔４１ａを有しており、この排出孔４１ａは、注水ケース１０に接続されている。これにより、洗濯機１は、風呂水ポンプ２２が停止した状態において風呂水注水経路３３内に水が残存した場合には、その残水を、残水排出部４１の排出孔４１ａを介して注水ケース１０内に排出できるようになっている。
【００３６】
なお、図８に例示するように、タンク収容部１２内に収容された柔軟剤タンク１８は、接続管２４ａを介して、タンク収容部１２外部の柔軟剤用計量ポンプ２４に接続される。そして、残水排出部４１の排出孔４１ａは、注水ケース１０のうち接続管２４ａの近傍部分、この場合、接続管２４ａよりも若干上側の部分に接続されている。よって、風呂水注水経路３３内から残水排出部４１の排出孔４１ａを介して排出される残水は、注水ケース１０内において接続管２４ａの近傍部分から流入して、接続管２４ａあるいはその周辺部分に供給される。なお、接続管２４ａは、接続部の一例であり、この接続管２４ａは、注水ケース１０内において、少なくとも、柔軟剤タンク１８の下面と対向しない部分に設けられている。
【００３７】
以上に説明した洗濯機１によれば、複数の手動投入部用経路３１，３２，３３は、全てタンク収容部１２の片側にまとめて配置されている。この構成によれば、タンク収容部の両側に分かれて注水経路が配置される従来構成に比べ、タンク収容部１２、換言すれば、このタンク収容部１２内に収容される洗剤タンク１７や柔軟剤タンク１８のためのスペースを、注水経路に挟まれた狭小な部分に限定することなく十分に確保することができる。
【００３８】
また、洗濯機１によれば、複数の手動投入部用経路３１，３２，３３は、全てタンク収容部１２よりも洗浄槽３側となる内側にまとめて配置されている。この構成によれば、洗剤タンク１７や柔軟剤タンク１８を収容するタンク収容部１２を、外側つまり洗浄槽３とは反対側に寄せて設けることができる。そのため、タンク収容部１２と洗浄槽３との距離を十分に長く確保することができ、例えば振動発生時において、タンク収容部１２が洗浄槽３に接触してしまうことを抑制することができる。
【００３９】
また、洗濯機１によれば、手動用の洗剤投入部１５内に通常水を注ぐためのメイン注水経路３１、手動用の柔軟剤投入部１６内に通常水を注ぐためのソフター注水経路３２、手動用の洗剤投入部１５内に風呂水を注ぐ風呂水注水経路３３の全てをタンク収容部１２の片側にまとめて配置している。即ち、洗濯機１に備えられる複数の手動投入部用経路３１，３２，３３の全てをタンク収容部１２の片側に寄せて配置することにより、洗剤タンク１７や柔軟剤タンク１８のためのスペースを一層大きくに確保することができ、また、タンク収容部１２と洗浄槽３との接触を一層抑制することができる。
【００４０】
また、洗濯機１によれば、複数の手動投入部用経路３１，３２，３３をタンク収容部１２の片側において水平方向に配列した構成となっている。この構成によれば、複数の手動投入部用経路３１，３２，３３を備えつつも、注水経路部２０全体としての上下方向の厚さを抑制することができる。即ち、矩形箱状の外箱２内に円筒状の洗浄槽３を備える洗濯機１において、外箱２内における洗浄槽３の上部には、水平方向に延びるスペースを確保しやすい。そのため、このように形成される外箱２内のスペースを有効に活用して、複数の手動投入部用経路３１，３２，３３を無理なく配置することができる。
【００４１】
また、洗濯機１によれば、複数の手動投入部用経路３１，３２，３３は、手動投入用ケース１４に対し上方から水を供給する。この構成によれば、手動投入用ケース１４内の衣類処理剤を、上方から供給される水によって押し流すようにして効率良く洗浄槽３内に供給することができる。
【００４２】
また、洗濯機１によれば、風呂水注水経路３３は、その途中部分に残水排出部４１を備えている。この構成によれば、風呂水注水経路３３内の残水を外部に排出することができ、当該風呂水注水経路３３内を衛生的に維持することができる。また、残水排出部４１から排出された残水は、注水ケース１０内に排出されるから、残水を排出するための排水経路を新たに設ける必要がない。
【００４３】
また、洗濯機１によれば、残水排出部４１は、注水ケース１０内において、柔軟剤タンク１８の下面と対向しない部分に残水を排出する。この構成によれば、残水によって柔軟剤タンク１８の下面が濡れてしまうことを回避することができる。
【００４４】
また、洗濯機１によれば、残水排出部４１は、柔軟剤タンク１８とタンク収容部１２外部の柔軟剤用計量ポンプ２４とを接続する接続管２４ａおよびその周辺部分に残水を排出する。この構成によれば、接続管２４ａに付着した衣類処理剤を残水を利用して洗い流すことができる。なお、図示は省略するが、タンク収容部１２内において、柔軟剤タンク１８は、接続管を介して、タンク収容部１２外部の洗剤用計量ポンプ２３に接続される。そのため、残水排出部４１は、柔軟剤タンク１８用の接続管あるいはその周辺部分に残水を排出するように構成してもよい。
【００４５】
なお、風呂水注水経路３３の底部は、水平面ではなく、残水排出部４１に向けて下降傾斜する傾斜面としてもよい。この構成によれば、風呂水注水経路３３内の残水を一層排出しやすくすることができる。また、洗濯機１は、風呂水注水経路３３以外の注水経路にも残水排出部４１を設けた構成としてもよい。
【００４６】
また、洗濯機１によれば、自動投入部用経路２５は、タンク収容部１２の複数の手動投入部用経路３１，３２，３３とは反対側、つまり、外側である外箱２の左側面２Ｌ側に設けられている。ここで、図９に例示するように、洗濯機１においては、タンク収容部１２の側面には外方に突出するリブ１２ａが設けられており、外箱２の左側面２Ｌには内方に突出するリブ２Ｒが設けられている。そして、タンク収容部１２は、このリブ１２ａを外箱２側のリブ２Ｒに係止させることにより支持されている。そのため、タンク収容部１２の外側に設けられている自動投入部用経路２５を、外箱２側のリブ２Ｒの下方のスペース内に収容することができ、限りのある外箱２内のスペースを有効に活用することができる。また、タンク収容部１２の洗浄槽３とは反対側に自動投入部用経路２５を設けつつも、タンク収容部１２を、洗浄槽３とは反対側に極力寄せて配置することができ、タンク収容部１２と洗浄槽３との間の距離を十分に確保することができる。
【００４７】
なお、本実施形態は、上述した一実施形態に限定されるものではなく、その要旨を逸脱しない範囲で種々の変更や拡張を行うことができる。
【００４８】
例えば、図１０に例示するように、洗濯機１は、自動投入部用経路２５も複数の手動投入部用経路３１，３２，３３と同じ側に設けた構成としてもよい。この構成によれば、洗剤タンク１７や柔軟剤タンク１８のためのスペースを一層大きく確保することができ、また、タンク収容部１２と洗浄槽３との接触を一層抑制することができる。
【００４９】
また、洗濯機１は、例えば風呂水注水経路３３をメイン注水経路３１およびソフター注水経路３２の上方に設けた構成としてもよく、つまり、洗濯機１は、複数の手動投入部用経路３１，３２，３３のうち一部の注水経路を他の注水経路の上下に重ねて設けた構成としてもよい。
【００５０】
また、残水排出部４１の位置は適宜変更して実施することができ、例えば図１１に例示する構成例では、残水排出部４１は、風呂水注水経路３３のうちタンク収容部１２の片側にまとめられた部分にあって、洗濯機１の極力前方側となる部分に設けられている。ここで、タンク収容部１７の前面上部および柔軟剤タンク１８の前面上部には、着脱の際に使用者が手を掛ける手掛け部が設けられている。そのため、タンク収容部１７および柔軟剤タンク１８がタンク収容部１２内に収容された状態では、タンク収容部１７および柔軟剤タンク１８の前側には、上記の手掛け部の下方に位置して空間が形成されるようになっている。
【００５１】
図１１に例示する構成例において、残水排出部４１は、タンク収容部１２内に収容された洗剤タンク１７および柔軟剤タンク１８の前側に形成される空間に側方から対向する位置に設けられている。そのため、残水排出部４１から排出される水は、タンク収容部１２内において、タンク収容部１７の手掛け部および柔軟剤タンク１８の手掛け部の下方に形成される空間を通って流れるようになっている。
【００５２】
この構成によっても、タンク収容部１２内において、残水によって洗剤タンク１７や柔軟剤タンク１８の下面が濡れてしまうことを回避することができる。また、残水をタンク収容部１２とタンクとの間に滞留させることなく効率良く排出することができるから、タンク収容部１２の内面やタンク収容部１２の蓋の裏面における結露の発生を抑制することができる。
【００５３】
なお、図１２に例示するように、残水処理部４１の下方には、当該残水処理部４１から排出された水をタンク収容部１２内に案内するガイド流路４１ｂを設けるようにするとよい。この構成によれば、残水処理部４１から排出される水を確実にタンク収容部１２内に導くことができる。
【００５４】
また、タンク収容部１２内において、洗剤タンク１７および柔軟剤タンク１８は、洗濯機１の左右方向に沿って取り付けられるようにしてもよい。
【００５５】
また、洗剤タンク１７および柔軟剤タンク１８の形状は、直方体状に限られるものではなく、種々の形状を適用することができる。また、洗剤タンク１７の形状や大きさなどと柔軟剤タンク１８の形状や大きさなどとが異なっていてもよい。
【００５６】
また、タンクは、洗剤を貯留する洗剤タンク１７に限られるものではなく、例えば、消臭剤を貯留する消臭剤タンク、除菌剤を貯留する除菌剤タンクなど、衣類に何らかの処理を施す種々の処理剤を貯留するタンクであれば種々の種類のタンクを適宜採用することができる。また、タンク収容部１２内に収容される複数のタンクは、同じ種類の処理剤を貯留するタンクであってもよいし、異なる種類の処理剤を貯留するタンクであってもよい。また、洗濯機１は、タンク収容部１２内に１つのタンクを収容する構成としてもよい。また、洗剤計量ポンプ２６および柔軟剤計量ポンプ２７は、液体を吸引するものに限られず、例えば、液体を押し出すものであってもよい。
【００５７】
また、本実施形態は、回転槽の回転中心軸が鉛直方向に延びる、いわゆる縦軸型の洗濯機にも適用することができる。また、本実施形態は、乾燥機能を有する洗濯機にも適用することができる。また、本実施形態は、乾燥機能を有しない洗濯機にも適用することができる。また、本実施形態は、例えば、衣類の消臭、脱臭、除菌など、衣類に対して何らかの処理を施す装置であれば、種々の衣類処理装置に適用することができる。
【００５８】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００５９】
図面中、１は洗濯機（衣類処理装置）、２は外箱、３は洗浄槽（衣類処理槽）、１０は注水ケース、１４は手動投入用ケース（手動投入部）、１５は洗剤投入部、１６は柔軟剤投入部、１７は洗剤タンク（タンク）、１８は柔軟剤タンク（タンク）、１９は洗剤自動投入部（自動投入部）、２３は洗剤用計量ポンプ（ポンプ）、２４は柔軟剤用計量ポンプ（ポンプ）、２４ａは接続管（接続部）、２５は自動投入部用経路、３１はメイン注水経路（手動投入部用経路）、３２はソフター注水経路（手動投入部用経路）、３３は風呂水注水経路（手動投入部用経路）、４１は残水排出部を示す。
【図１】
2020195578.tif 000003
【図２】
2020195578.tif 000004
【図３】
2020195578.tif 000005
【図４】
2020195578.tif 000006
【図５】
2020195578.tif 000007
【図６】
2020195578.tif 000008
【図７】
2020195578.tif 000009
【図８】
2020195578.tif 000010
【図９】
2020195578.tif 000011
【図１０】
2020195578.tif 000012
【図１１】
2020195578.tif 000013
【図１２】
2020195578.tif 000014